(57)【要約】  チャネル等化エンクロージャ（１０）は、データセンタ内のカスタマの設備とのケーブルの長さの不一致を等化する。チャネル等化モジュール（３０）は、金融機関からのケーブルと、カスタマの設備に接続されたパッチコードとの間の接続点としての機能を果たす。チャネル等化エンクロージャ（１０）は、ハウジング（２０）、及びハウジングに取り付けられた複数のチャネル等化モジュール（３０）を含む。各チャネル等化モジュール（３０）は、データセンタ内で通信チャネルを等化するために、指定されたファイバ長を収容するためのバルクファイバのスプール（５０）を有する。
2020522747.tif 000002
【特許請求の範囲】
【請求項１】
カスタマの設備とのケーブルの長さの不一致を等化するためのチャネル等化エンクロージャであって、
ハウジングと、
前記ハウジングに取り付けられた複数のチャネル等化モジュールであって、各チャネル等化モジュールが通信チャネルを等化するために指定されたファイバ長を収容するためのバルクファイバのスプールを有する、前記複数のチャネル等化モジュールと、
を備える、前記チャネル等化エンクロージャ。
【請求項２】
前記ハウジングが取り外し可能な上部を有する、請求項１に記載のチャネル等化エンクロージャ。
【請求項３】
前記ハウジングが、前記ハウジングを設備レールに取り付けることを可能にするための前部フランジを有する、請求項１に記載のチャネル等化エンクロージャ。
【請求項４】
前記チャネル等化モジュールが、前記チャネル等化モジュールが改変されないことを保証するために耐タンパー性ラベルを有する、請求項１に記載のチャネル等化エンクロージャ。
【請求項５】
バルクファイバの前記スプールが、一方の端部でのマルチファイバコネクタ、及び反対側の端部での複数の単一ファイバコネクタで成端される、請求項１に記載のチャネル等化エンクロージャ。
【請求項６】
前記マルチファイバコネクタが、各チャネル等化モジュールの後部でアダプタに設置され、前記複数の単一ファイバコネクタが、各チャネル等化モジュールの前部でアダプタに設置される、請求項５に記載のチャネル等化エンクロージャ。
【請求項７】
ガードが、ユーザーが各チャネル等化モジュールを改変するのを防ぐために、各チャネル等化モジュールの前記後部で前記アダプタ及び前記マルチファイバコネクタ上に設置される、請求項６に記載のチャネル等化エンクロージャ。
【請求項８】
前記チャネル等化モジュールが、金融機関からのケーブルと、カスタマの設備に接続されたパッチコードとの間の接続点としての機能を果たす、請求項１に記載のチャネル等化エンクロージャ。
【請求項９】
カスタマの設備及び金融機関とのケーブルの長さの不一致を等化するための方法であって、
金融機関のデータセンタ内の最長ファイバチャネルの長さを決定するステップと、
最長ファイバチャネルとより短いファイバチャネルとの差を補うために等化ファイバ長を決定するステップと、
前記等化ファイバ長を提供するためにチャネル等化モジュールを選択するステップと、
前記データセンタ内で設備レールに固定されたハウジングに前記チャネル等化モジュールを設置するステップと、
を含む、方法。
【請求項１０】
通信チャネルを等化するために指定されたファイバ長を収容するためのバルクファイバのスプールを前記チャネル等化モジュール内に提供するステップをさらに含み、バルクファイバの前記スプールが、一端でアダプタに設置されたマルチファイバコネクタ、及び反対側の端部でアダプタに設置された複数の単一ファイバコネクタで成端される、請求項９に記載の方法。
【請求項１１】
前記チャネル等化モジュールを、一端で金融機関からの入信ケーブル、及び反対側の端部でカスタマの設備に接続されたパッチコードに接続するステップをさらに含む、請求項９に記載の方法。
【発明の詳細な説明】
【技術分野】
【０００１】
本発明は、光ファイバエンクロージャに関し、具体的には光ファイバエンクロージャに設置されたチャネル等化モジュールに関する。
【背景技術】
【０００２】
光ファイバケーブルの長さは、カスタマの設備と、設備が接続している金融機関または証券取引所との間で変わる場合がある。金融機関及び証券取引所は、そのデータセンタの中のすべてのファイバチャネルのケーブル距離を等化しようと試みている。金融機関及び証券取引所は、すべてのデータトランザクションが、完了するためには同じ量の時間を必要とすることをカスタマに確約する必要がある。金融機関及び証券取引所がケーブル変化を等化できない場合、一部のカスタマが他のカスタマよりも有利になるであろう。
【０００３】
したがって、各カスタマの設備及び金融機関または証券取引所とのケーブル長さの不一致を等化することが望ましい。
【発明の概要】
【０００４】
チャネル等化エンクロージャは、データセンタ内のカスタマの設備とのケーブルの長さの不一致を等化するように設計されている。チャネル等化エンクロージャは、ハウジング、及びハウジングに取り付けられた複数のチャネル等化モジュールを含む。各チャネル等化モジュールは、データセンタ内でカスタマの設備と金融機関との間の通信チャネルを等化するために指定されたファイバ長を収容するためのバルクファイバのスプールを有する。
【図面の簡単な説明】
【０００５】
【図１】本発明のチャネル等化エンクロージャの斜視図である。
【図２】チャネル等化モジュールを示すために上部が取り外された、図１のチャネル等化エンクロージャの斜視図である。
【図３】図２のチャネル等化モジュールの１つの前部斜視図である。
【図４】図３のチャネル等化エンクロージャの背部斜視図である。
【図５】チャネル等化モジュールを示すために上部が取り外された、設備レールに取り付けられ、光ファイバケーブルが差し込まれた、図１のチャネル等化エンクロージャの前部斜視図である。
【発明を実施するための形態】
【０００６】
図１は、本発明のチャネル等化エンクロージャ１０の斜視図を示す。
【０００７】
図２は、上部が取り外されたチャネル等化エンクロージャ１０の斜視図を示す。チャネル等化エンクロージャ１０は、４つのチャネル等化モジュール３０を収容するように設計されたシートメタルハウジング２０である。ハウジング２０は、取り外し可能な上部２２（図１を参照）及び前部フランジ２４を含む。
【０００８】
図３は、チャネル等化モジュール３０の１つを示す。チャネル等化モジュール３０は、上部３２、底部３４、側部３６、３８、前部４０、及び後部６０を含む。図３では、モジュール３０の内部が見えるように、チャネル等化モジュール３０の上部３２の部分及び側部３６の部分が取り外されている。チャネル等化モジュール３０は、通信チャネルを等化するために必要とされる特定のファイバ長を収容するために弛んだバルクファイバ５０のスプールを含む。
【０００９】
例えば、金融機関のデータセンタ内の最長ファイバチャネルが２３０メートルであり、別のファイバチャネルが２００メートルである場合、チャネル等化モジュールは、短い方のファイバチャネルの差を補うために追加の３０メートルの弛んだバルクファイバ５０を有する。
【００１０】
等化ファイバの長さが決定されると、特定のチャネル等化モジュールが選択され、設置される。各チャネル等化モジュール３０は、特定の長さのファイバケーブルを収容するように設計される。各チャネル等化モジュール３０は、チャネル等化モジュール３０が開かれず、改変されないことを保証するために耐タンパー性ラベル７０を含む。
【００１１】
弛んだバルクファイバ５０は、一端で、マルチファイバコネクタ５４で成端される。マルチファイバコネクタ５４は、モジュール３０の後部６０のアダプタ６２の中に設置されるであろう。金融機関からの入信ケーブルは、アダプタ６２の中に差し込まれる。弛んだバルクファイバ５０の反対側の端部は、モジュール３０の前部４０でアダプタ４２に設置された複数の単一ファイバコネクタ５６で成端される。
【００１２】
図４に示されるように、ガード６４は、チャネル等化モジュール３０の後部６０でマルチファイバコネクタアダプタ６２上に設置される。ガード６４は、耐タンパー性ネジ６６でモジュール３０に固定される。ガード６４は、マルチファイバコネクタアダプタ６２の解除部分を覆い、マルチファイバコネクタアダプタ６２の取り外しを非常に困難にする。したがって、ガード６４は、ユーザーがデータセンタ内の等化されたチャネルを改変するためにチャネル等化モジュール３０を切り替えることを防ぐ。
【００１３】
図５を参照すると、前部フランジ２４は取り付け穴２６（図２を参照）を有し、このことがチャネル等化エンクロージャを、ネジ７３を使用し、データセンタのキャビネットまたはラックの標準的な１９”の設備レール７２に取り付けることを可能にする。ハウジング２０はノックアウトホール２５（図２を参照）を含み、その１つ以上が、金融機関からの入信ケーブル８０のハウジング２０の中への入口としての機能を果たすために取り外される。金融機関からの入信ケーブル８０は、モジュール３０の後部でアダプタ６２（図３を参照）の中に差し込まれる。カスタマの設備に接続されたパッチコード７１は、モジュール３０の単一ファイバアダプタ４２の中に差し込まれる。
【００１４】
チャネル等化モジュール３０は、金融機関または証券取引所からのケーブルと、カスタマの設備に接続されたパッチコードとの間の接続点としての機能を果たす。
【００１５】
さらに、本発明の特定の好ましい実施形態は、示され、説明されたが、変更及び修正が本発明の教示から逸脱することなく加えられ得ることは当業者には明らかであろう。上記説明及び添付図面に説明される事項は、限定ではなく例示としてのみ提供されている。本発明の実際の範囲は、先行技術に基づいてその適切な視点で見られるとき、以下の特許請求の範囲に定義されることが意図される。
【符号の説明】
【００１６】
１０  チャネル等化エンクロージャ
２０  ハウジング
２２  上部
２４  前部フランジ
２５  ノックアウトホール
２６  穴
３０  モジュール
３２  上部
３４  底部
３６  側部
３８  側部
４０  前部
４２  単一ファイバアダプタ
５０  バルクファイバ
５４  マルチファイバコネクタ
５６  単一ファイバコネクタ
６０  後部
６２  マルチファイバコネクタアダプタ
６４  ガード
６６  耐タンパー性ネジ
７０  耐タンパー性ラベル
７１  パッチコード
７２  設備レール
７３  ネジ
８０  入信ケーブル
【図１】
2020522747.tif 000003
【図２】
2020522747.tif 000004
【図３】
2020522747.tif 000005
【図４】
2020522747.tif 000006
【図５】
2020522747.tif 000007
【国際調査報告】
2020522747.tif 000008
2020522747.tif 000009
2020522747.tif 000010
2020522747.tif 000011